(57)【要約】  【課題】  第１のデジタル放送から第2のデジタル放送への切替えを素早く円滑に行うことのできるデジタル放送受信装置を提供する。  【解決手段】  デジタル放送受信装置１００は、１２セグ放送のストリームデータから分離された映像ストリームデータをデコード処理する１２セグビデオデコード部１０５と、１セグ放送のストリームデータから分離された映像ストリームデータをデコード処理する１セグビデオデコード部１１２と、１２セグ放送が選択されているときに、１セグ放送の映像ストリームデータを保持するストリームバッファ１１１とを備える。１２セグビデオデコード部１０５は、１２セグ放送から１セグ放送へ出力表示の選択が切り換えられたときに、ストリームバッファ１１１に保持された１セグ放送の映像ストリームデータを高速デコード処理する。【選択図】  図１
2010034994.tif 000002
【特許請求の範囲】
【請求項１】
同一番組を同時に送信する第１のデジタル放送と第２のデジタル放送の複数のストリームデータを受信する機能を有するデジタル放送受信装置であって、
前記第１のデジタル放送は、前記第２のデジタル放送より伝送帯域が大きく設定されており、かつ、前記第２のデジタル放送は、前記第１のデジタル放送より送信電波強度が強く設定されており、
前記デジタル放送受信装置は、
前記第１のデジタル放送のストリームデータから分離された映像ストリームデータをデコード処理する第１のビデオデコード手段と、
前記第２のデジタル放送のストリームデータから分離された映像ストリームデータをデコード処理する第２のビデオデコード手段と、
前記第１のデジタル放送の受信品質に応じて、前記第１のデジタル放送と前記第２のデジタル放送のいずれか一方を表示出力として選択するデジタル放送の切替え制御を行う制御手段と、
前記第１のデジタル放送が選択されているときに、前記第２のデジタル放送の映像ストリームデータを保持するストリーム保持手段と、
を備え、
前記第１のビデオデコード手段は、
前記第１のデジタル放送から前記第２のデジタル放送へ表示出力の選択が切り換えられたときに、前記ストリーム保持手段に保持された前記第２のデジタル放送の映像ストリームデータを、前記第２のビデオデコード手段より高速にデコード処理することを特徴とするデジタル放送受信装置。
【請求項２】
前記第１のデジタル放送が選択されているときに、前記第２のビデオデコード手段を低電力モードに設定し、前記第２のデジタル放送が選択されているときに、前記第１のビデオデコード手段を低電力モードに設定する低電力モード制御手段を備えたことを特徴とする請求項１に記載のデジタル放送受信装置。
【請求項３】
前記ストリーム保持手段は、前記第２のデジタル放送の映像ストリームデータに含まれる少なくとも１つのイントラフレームのデータを保持することを特徴とする請求項１または請求項２に記載のデジタル放送受信装置。
【請求項４】
前記第１のビデオデコード手段と前記第２のビデオデコード手段は、前記第１のデジタル放送と前記第２のデジタル放送の映像ストリームデータに共通のデコード手段として構成されていることを特徴とする請求項１ないし請求項３のいずれかに記載のデジタル放送受信装置。
【請求項５】
同一番組を同時に送信する第１のデジタル放送と第２のデジタル放送の複数のストリームデータを受信する機能を有するデジタル放送受信装置において用いられるデジタル放送受信方法であって、
前記第１のデジタル放送は、前記第２のデジタル放送より伝送帯域が大きく設定されており、かつ、前記第２のデジタル放送は、前記第１のデジタル放送より送信電波強度が強く設定されており、
前記デジタル放送受信装置は、前記第１のデジタル放送のストリームデータから分離された映像ストリームデータをデコード処理する第１のビデオデコード手段と、前記第２のデジタル放送のストリームデータから分離された映像ストリームデータをデコード処理する第２のビデオデコード手段を備えており、
前記デジタル放送受信方法は、
前記第１のデジタル放送の受信品質に応じて、前記第１のデジタル放送と前記第２のデジタル放送のいずれか一方を表示出力として選択するデジタル放送の切替え制御を行い、
前記第１のデジタル放送が選択されているときに、前記第２のデジタル放送の映像ストリームデータを保持し、
前記第１のデジタル放送から前記第２のデジタル放送へ表示出力の選択が切り換えられたときに、前記第１のビデオデコード手段を用いて、前記ストリーム保持手段に保持された前記第２のデジタル放送の映像ストリームデータを、前記第２のビデオデコード手段より高速にデコード処理することを特徴とするデジタル放送受信方法。
【発明の詳細な説明】
【技術分野】
【０００１】
本発明は、二つのデジタル放送で同時に送信される同一番組の複数のストリームデータを受信する機能を有するデジタル放送受信装置に関し、特に、二つのデジタル放送のストリームを切換えて映像をデコードして表示出力する技術に関するものである。
【背景技術】
【０００２】
日本の地上波デジタル放送では、伝送帯域を１３のセグメントに分割し、セグメント単位で変調方式を変更して伝送可能である。すなわち、複数種類の変調方式を組み合わせて伝送することができる。例えば、１３セグメントのうち、１２セグメントを用いて固定受信機向けに高精細放送を送信し、１セグメントを用いて携帯受信機向けに簡易放送を送信することが可能である。１２セグメントを使用する階層は、デジタル放送の送信電波強度が弱いため弱階層と呼ばれ、１セグメントを使用する階層は、デジタル放送の送信電波強度が強いため強階層と呼ばれる。１セグメントを使用する階層は、１２セグメントを使用する階層よりもノイズ耐性の強い変調方式で変調しているため、１２セグメントを使用する階層よりも受信環境が悪い環境下での受信が可能となり、送信強度が強い階層となる。なお、１２セグメントと１セグメントに分割する以外にも、３セグメントと９セグメントなどに分割したデジタル放送の伝送方式も考えられる。また、１２セグメントを用いた階層では、１２セグメントを使用して高精細放送（ＨＤ放送）の番組を送信する場合と、１２セグメントの内の４セグメントを使用して標準画質放送（ＳＤ放送）の番組を送信する場合がある。
【０００３】
１２セグメント放送（単に、１２セグ放送ともいう）は、広い伝送帯域を利用して高精細な映像と音声を提供できるが、ノイズに弱く、移動しながらの受信には不向きである。一方、１セグメント放送（単に、１セグ放送ともいう）は、伝送帯域は狭く映像と音声は簡易な放送となるが、１２セグメント放送よりもノイズに強く移動しながらの受信にも適している。そして、近年、上記のような特徴を持つ１２セグメント放送および１セグメント放送で同一の番組を提供するサイマル放送が実施されている。
【０００４】
従来のデジタル放送受信装置としては、弱階層の１２セグメント放送と強階層の１セグメント放送の両方に対応可能であり、同一番組の１２セグメント放送と１セグメント放送をそれぞれ受信状態に応じて１２セグメント放送と１セグメント放送を切換えて映像と音声を出力する車載向けのデジタル放送受信装置が知られている（例えば、特許文献１参照）。この従来のデジタル放送受信装置では、チューナーからの電界強度、復調器からのビット誤り率とデコーダからのブロックノイズのマクロブロック数のいずれかを参照して、出力する１２セグメント放送と１セグメント放送を選択し出力を切換えていた。
【特許文献１】特開２００５−２７７８７３号公報（第１図）
【発明の開示】
【発明が解決しようとする課題】
【０００５】
従来のデジタル放送受信装置においては、１２セグメント放送の受信状態が良好であれば、高精細放送を提供する１２セグメント放送を出力し、移動により１２セグメント放送の受信状態が悪化し十分な映像と音声出力が困難になった場合に、受信状態が悪くとも放送受信が可能である１セグメント放送の同一番組の放送に切換える。しかしながら、上記従来のデジタル放送受信装置では、１２セグメント放送から１セグメント放送への詳しい切換え処理に関して言及されていない。
【０００６】
このような従来のデジタル放送受信装置では、例えば、１２セグメント放送から１セグメント放送へ切換えることを決定してから、１セグメント放送のストリームデータを受信し、受信したストリームデータから映像ストリームデータを抽出しデコードするまでの間、表示映像を出力することができず、受信状態が悪化した１２セグメント放送の最後の乱れた映像を出力するかブラックアウトした出力画面を長期間表示することとなり、ユーザーに不快感を与えてしまうという問題がある。
【０００７】
ビデオデータを圧縮符号化した映像ストリームデータはフレーム間の差分データを圧縮処理しているため、フレーム間の差分データをとる元となる画面内予測フレーム（イントラフレームまたはＩフレームとも呼ぶ）をデコードしない限り、それに続く画面間予測フレーム（Ｐフレームとも呼ぶ）をデコードすることができないため、イントラフレームのデータを含む映像ストリームデータを受信するまでデコード処理ができず、１セグメント放送の場合、イントラフレームと次のイントラフレームの表示時間として２秒程度の間隔があり、最大では５秒の間隔が開くことがあるという問題がある。
【０００８】
そこで、１２セグメント放送と１セグメント放送の両方の映像ストリームデータをデコードしておき出力を切換える方法も考えられるが、その場合には、常時両放送の映像ストリームデータをデコードする必要があるため、消費電力が増大してしまうという問題がある。
【０００９】
本発明は、上記従来の問題を解決するためになされたもので、第１のデジタル放送から第２のデジタル放送への切替えを素早く円滑に行うことのできるデジタル放送受信装置を提供することを目的とする。
【課題を解決するための手段】
【００１０】
本発明のデジタル放送受信装置は、同一番組を同時に送信する第１のデジタル放送と第２のデジタル放送の複数のストリームデータを受信する機能を有するデジタル放送受信装置であって、前記第１のデジタル放送は、前記第２のデジタル放送より伝送帯域が大きく設定されており、かつ、前記第２のデジタル放送は、前記第１のデジタル放送より送信電波強度が強く設定されており、前記デジタル放送受信装置は、前記第１のデジタル放送のストリームデータから分離された映像ストリームデータをデコード処理する第１のビデオデコード手段と、前記第２のデジタル放送のストリームデータから分離された映像ストリームデータをデコード処理する第２のビデオデコード手段と、前記第１のデジタル放送の受信品質に応じて、前記第１のデジタル放送と前記第２のデジタル放送のいずれか一方を表示出力として選択するデジタル放送の切替え制御を行う制御手段と、前記第１のデジタル放送が選択されているときに、前記第２のデジタル放送の映像ストリームデータを保持するストリーム保持手段と、を備え、前記第１のビデオデコード手段は、前記第１のデジタル放送から前記第２のデジタル放送へ表示出力の選択が切り換えられたときに、前記ストリーム保持手段に保持された前記第２のデジタル放送の映像ストリームデータを、前記第２のビデオデコード手段より高速にデコード処理する構成を有している。
【００１１】
本発明のデジタル放送受信方法は、同一番組を同時に送信する第１のデジタル放送と第２のデジタル放送の複数のストリームデータを受信する機能を有するデジタル放送受信装置において用いられるデジタル放送受信方法であって、前記第１のデジタル放送は、前記第２のデジタル放送より伝送帯域が大きく設定されており、かつ、前記第２のデジタル放送は、前記第１のデジタル放送より送信電波強度が強く設定されており、前記デジタル放送受信装置は、前記第１のデジタル放送のストリームデータから分離された映像ストリームデータをデコード処理する第１のビデオデコード手段と、前記第２のデジタル放送のストリームデータから分離された映像ストリームデータをデコード処理する第２のビデオデコード手段を備えており、前記デジタル放送受信方法は、前記第１のデジタル放送の受信品質に応じて、前記第１のデジタル放送と前記第２のデジタル放送のいずれか一方を表示出力として選択するデジタル放送の切替え制御を行い、前記第１のデジタル放送が選択されているときに、前記第２のデジタル放送の映像ストリームデータを保持し、前記第１のデジタル放送から前記第２のデジタル放送へ表示出力の選択が切り換えられたときに、前記第１のビデオデコード手段を用いて、前記ストリーム保持手段に保持された前記第２のデジタル放送の映像ストリームデータを、前記第２のビデオデコード手段より高速にデコード処理する。
【発明の効果】
【００１２】
本発明は、第１のデジタル放送から第２のデジタル放送へ選択が切り換えられたときに、第１のデジタル放送が選択されているときに保持しておいた第２のデジタル放送の映像ストリームデータを、第１のビデオデコード手段を用いて高速にデコード処理することにより、第１のデジタル放送から第２のデジタル放送への切替えを素早く円滑に行うことができるという効果を有するデジタル放送受信装置を提供することができるものである。
【発明を実施するための最良の形態】
【００１３】
以下、本発明の実施の形態のデジタル放送受信装置について、図面を用いて説明する。本実施の形態では、二つのデジタル放送（１２セグ放送と１セグ放送）でサイマル放送される同一番組を受信するデジタル放送受信装置の場合を例示する。このデジタル放送受信装置は、例えば、携帯電話機、携帯ＴＶ、ポータブルナビゲーション機器等の携帯端末や、車載向けナビゲーション機器などに適用される。
【００１４】
（第１の実施の形態）
本発明の第１の実施の形態のデジタル放送受信装置を、図１〜図８を参照して説明する。ここでは、まず、本実施の形態のデジタル放送受信装置の構成について説明する。
【００１５】
図１は、本実施の形態のデジタル放送受信装置の構成を示すブロック図である。図１に示すように、デジタル放送受信装置１００は、１２セグ放送の受信データを処理するための構成として、１２セグチューナー１０１と、１２セグ復調部１０２と、１２セグ多重分離部１０３と、１２セグ用のストリームバッファ１０４と、１２セグビデオデコード部１０５と、１２セグ用のフレームバッファ１０６を備えている。
【００１６】
１２セグチューナー１０１は、アンテナで受信したデジタル放送波から弱階層のデジタル放送である１２セグメント放送の指定された番組の変調データを受信する。また、変調データの受信強度を表す電界強度を測定し、測定した電界強度値を制御部１１５へ送信する。
【００１７】
１２セグ復調部１０２は、１２セグチューナー１０１からの変調データを復調し、復調したトランスポートストリーム（ＴＳ）データを１２セグ多重分離部１０３へ出力する。また、復調時のトランスポートストリームデータのビットエラー率を計測し、計測したビットエラー率を制御部１１５へ送信する。
【００１８】
１２セグ多重分離部１０３は、１２セグ復調部１０２からのトランスポートストリームデータを入力とし、入力されたトランスポートストリームデータにスクランブルがかかった状態であればスクランブルを解除（デスクランブル処理）し、多重化されたトランスポートストリームから、映像ストリームデータ、音声ストリームデータと、番組情報を含むセクションデータに分離して、分離した各データをストリームバッファ１０４へ出力する。
【００１９】
ストリームバッファ１０４は、１２セグ多重分離部１０３から入力されるデータを保持する。入力された映像ストリームデータは１２セグビデオデコード部１０５でデコード処理され、音声ストリームデータは図示していない音声デコード部で音声デコードされ外部スピーカー等に出力される。セクションデータは図示していないＣＰＵ等のプロセッサ部で別途必要な処理がなされる。
【００２０】
１２セグビデオデコード部１０５は、ストリームバッファ１０４に保持された映像ストリームデータを入力としデコード処理をしてビデオデータをフレームバッファ１０６へ出力する。
【００２１】
フレームバッファ１０６は、１２セグビデオデコード部１０５でデコードされたビデオデータを保持する。
【００２２】
また、図１に示すように、デジタル放送受信装置１００は、１セグ放送の受信データを処理するための構成として、１セグチューナー１０７と、１セグ復調部１０８と、１セグ多重分離部１０９と、Ｉフレーム検出部１１０と、１セグ用のストリームバッファ１１１と、１セグビデオデコード部１１２と、１セグ用のフレームバッファ１１３を備えている。
【００２３】
１セグチューナー１０７は、アンテナで受信したデジタル放送波から強階層のデジタル放送である１セグメント放送の指定された番組の変調データを受信する。また、変調データの受信強度を表す電界強度を測定し、測定した電界強度値を制御部１１５へ送信する。
【００２４】
１セグ復調部１０８は、１セグチューナー１０７からの変調データを復調し、復調したトランスポートストリーム（ＴＳ）データを１セグ多重分離部１０９へ出力する。また、復調時のトランスポートストリームデータのビットエラー率を計測し、計測したビットエラー率を制御部１１５へ送信する。
【００２５】
１セグ多重分離部１０９は、１セグ復調部１０８からのトランスポートストリームデータを入力とし、多重化されたトランスポートストリームから、映像ストリームデータ、音声ストリームデータと、番組情報を含むセクションデータに分離して、分離した各データをストリームバッファ１１１へ出力する。
【００２６】
Ｉフレーム検出部１１０は、１セグ多重分離部１０９で分離された映像ストリームデータからフレーム先頭を表す同期語を検出、その後に続くフレームヘッダ情報を解析してフレームのピクチャ種別を特定しイントラフレームの映像ストリームデータの先頭データを検出する。
【００２７】
ストリームバッファ１１１は、１セグ多重分離部１０９から入力されるデータを保持する。入力された映像ストリームデータは１セグビデオデコード部１１２でデコード処理され、音声ストリームデータは図示していない音声デコード部で音声デコードされ外部スピーカー等に出力される。セクションデータは図示していないＣＰＵ等のプロセッサ部で別途必要な処理がなされる。
【００２８】
ここでは、１セグ多重分離部１０９、Ｉフレーム検出部１１０、ストリームバッファ１１１によって、１セグ多重分離ブロック（図１において点線で示した）が形成されているともいえる。
【００２９】
１セグビデオデコード部１１２は、ストリームバッファ１１１に保持された映像ストリームデータを入力としデコード処理をしてビデオデータをフレームバッファ１１３へ出力する。
【００３０】
フレームバッファ１１３は、１セグビデオデコード部１１２でデコードされたビデオデータを保持する。
【００３１】
また、図１に示すように、このデジタル放送受信装置１００は、表示出力部１１４と、制御部１１５と、液晶ディスプレイ（ＬＣＤ）１１６を備えている。
【００３２】
表示出力部１１４は、フレームバッファ１０６に保持された１２セグメント放送のビデオデータとフレームバッファ１１３に保持された１セグメント放送のビデオデータを入力とし、制御部１１５から指示された放送側のビデオデータを選択し、外部表示装置へ出力するのに必要な拡大・縮小処理、回転処理、高画質化処理等の画像処理を実行しＬＣＤ１１６へ出力する。
【００３３】
制御部１１５は、１２セグチューナー１０１からの電界強度、１２セグ復調部１０２からのビットエラー率、１セグチューナー１０７からの電界強度と１セグ復調部１０８からのビットエラー率を入力とし、これら電界強度とビットエラー率から受信している１２セグメント放送と１セグメント放送の品質を判断し、１２セグメント放送の受信品質が所定の品質以上であれば１２セグメント放送の出力を選択し、１２セグメント放送の受信品質が所定の品質を下回り、１セグメント放送の受信品質が所定の品質以上であれば１セグメント放送の出力を選択し、さらには１セグメント放送の受信品質が所定の品質を下回っていればどちらの放送も出力しないことを選択する。選択した結果に応じて、表示出力部１１４へ出力するビデオデータを指示し、１２セグチューナー１０１、１２セグ復調部１０２、１２セグ多重分離部１０３、１２セグビデオデコード部１０５、１セグチューナー１０７、１セグ復調部１０８、１セグ多重分離部１０９と１セグビデオデコード部１１２に必要な制御指示を出力する。
【００３４】
なお、別途セクションデータ処理やＥＰＧ情報等から１２セグメント放送と同一番組の１セグメント放送の番組が放送されていない点を検出した場合には、１セグメント放送の出力は選択しない。
【００３５】
また、このデジタル放送受信装置１００は、電源クロック制御部１１７〜１２２を備えている。
【００３６】
電源クロック制御部１１７〜１２２は、電源電圧とクロックを制御するブロックであり、クロック停止、あるいは電源遮断を実行する。電源クロック制御部１１７は１２セグチューナー１０１と１２セグ復調部１０２の電源とクロックを制御し、電源クロック制御部１１８は１２セグ多重分離部１０３の電源とクロックを制御し、電源クロック制御部１１９は１２セグビデオデコード部１０５の電源とクロックを制御する。電源クロック制御部１２０は１セグチューナー１０７と１セグ復調部１０８の電源とクロックを制御し、電源クロック制御部１２１は１セグ多重分離部１０９の電源とクロックを制御し、電源クロック制御部１２２は１セグビデオデコード部１１２の電源とクロックを制御する。
【００３７】
なお、ストリームバッファ１０４、フレームバッファ１０６、ストリームバッファ１１１、フレームバッファ１１３は同一のＳＤＲＡＭ上のメモリ領域に確保してもよい。
【００３８】
ここで、映像ストリームデータについて説明する。図２は、１セグメント放送の映像ストリームデータを構成するフレームシーケンスの説明図である。図２に示すように、映像ストリームデータを構成する複数のフレームは、横軸の時間軸方向に表示する順序で並んでいる。図２では、ＩまたはＰと書かれた矩形は１枚のフレームを表している。Ｉと記載したフレームはイントラフレームを表し、Ｐと記載したフレームは画面間予測フレームを表す。このように、映像ストリームデータは、表示順序と同じ並びのフレームのデータ順序で構成される。
【００３９】
以上のように構成された第１の実施の形態のデジタル放送受信装置１００について、図面を用いてその動作を説明する。
【００４０】
図３は、第１の実施の形態のデジタル放送受信装置１００を用いたデジタル放送受信動作の処理フローを示す図である。図３に示すように、デジタル放送受信開始時においては、１２セグチューナー１０１と１２セグ復調部１０２、１セグチューナー１０７と１セグ復調部１０８を動作させて、ユーザーにより指定された放送局の番組を、１２セグメント放送と１セグメント放送の番組を受信する。そして、それぞれの放送波の電界強度とビットエラー率を取得し、制御部１１５により１２セグメント放送と１セグメント放送のどちらの放送を出力するかを決定する（Ｓ１００）。
【００４１】
制御部１１５による決定（Ｓ１００）の結果、１２セグメント放送の受信品質が所定の品質以上であった場合は、高精細な映像と音声を出力できる１２セグメント放送を選択し出力する（Ｓ１０１）。この１２セグメント放送受信出力処理については、図面を用いて後述する。
【００４２】
１２セグメント放送の出力中に、１２セグメント放送の受信品質が所定の品質を下回り（Ｓ１０２）、１セグメント放送の受信品質が所定の品質以上であった場合（Ｓ１０３）、１セグメント放送を出力するように切換え処理が行われる（Ｓ１０４）。この１２セグ放送から１セグ放送への切換え処理についても、図面を用いて後述する。
【００４３】
制御部１１５による決定（Ｓ１００）の結果、１２セグメント放送の受信品質が所定の品質を下回り、１セグメント放送の受信品質が所定の品質以上であった場合は、１セグメント放送を選択し出力する（Ｓ１０５）。この１セグメント放送受信出力処理については、図面を用いて後述する。
【００４４】
１セグメント放送の出力中に、１セグメント放送の受信品質が所定の品質を下回った場合には（Ｓ１０６）、受信出力不可通知処理が行われる。この受信出力不可通知処理についても、図面を用いて後述する。
【００４５】
１セグメント放送の出力中に、１２セグメント放送の受信品質が所定の品質以上であった場合（Ｓ１０７）、１２セグメント放送を出力するように切換え処理が行われる（Ｓ１０８）。この１セグ放送から１２セグ放送への切換え処理についても、図面を用いて後述する。
【００４６】
制御部１１５による決定（Ｓ１００）の結果、１２セグメント放送と１セグメント放送のいずれの受信品質も所定の品質を下回った場合には、受信出力不可通知処理が行われる（Ｓ１０９）。
【００４７】
（１２セグメント放送受信出力処理）
ここで、１２セグメント放送受信出力処理について、図４を用いて説明する。図４は、１２セグメント放送受信出力処理の処理フローを示す図である。１２セグメント放送受信出力処理では、１２セグメント放送を受信し出力する場合に使用する１２セグチューナー１０１、１２セグ復調部１０２、１２セグ多重分離部１０３、ストリームバッファ１０４、１２セグビデオデコード部１０５、フレームバッファ１０６と表示出力部１１４を動作させる。
【００４８】
具体的には、図４に示すように、１２セグチューナー１０１、１２セグ復調部１０２、１２セグ多重分離部１０３、１２セグビデオデコード部１０５を起動して受信・デコードを実行し（Ｓ１１１）、１２セグビデオデコード部１０５のデコードフレームを表示出力部１１４からＬＣＤ１１６へ出力する（Ｓ１１２）。
【００４９】
１セグチューナー１０７、１セグ復調部１０８、１セグ多重分離部１０９、Ｉフレーム検出部１１０、ストリームバッファ１１１は、１２セグメント放送から１セグメント放送への切換え時に備えて、１２セグメント放送受信、出力中においても動作させる。そして、１セグチューナー１０７、１セグ復調部１０８と１セグ多重分離部１０９により、１２セグメント放送の番組と同一番組のストリームデータを受信しストリームバッファ１１１へ保存する（Ｓ１１３）。
【００５０】
ただし、１セグ多重分離部１０９により分離された映像ストリームデータに対しては、Ｉフレーム検出部１１０によりイントラフレームの先頭データを検出し、検出したイントラフレームの先頭データからのストリームデータをストリームバッファ１１１へ保存するように動作する。映像ストリームデータの保存処理に際しては、次のイントラフレームの先頭データを検出し保存する段階では以前のイントラフレームの先頭データから検出したイントラフレームの先頭データ以前までのストリームデータは破棄してもよい。このようにイントラフレームの先頭データから保存することでストリームバッファ１１１の確保しておくメモリ容量を軽減することができる。
【００５１】
この場合、１セグメント放送は出力しないため、電源クロック制御部１２２により１セグビデオデコード部１１２の電源遮断、またはクロック停止をするように制御部１１５から指示が出力される。このようにして、１セグビデオデコード部１１２を低電力モードへ遷移させる（Ｓ１１４）。
【００５２】
（１セグメント放送受信出力処理）
つぎに、１セグメント放送受信出力処理について、図５を用いて説明する。図５は、１セグメント放送受信出力処理の処理フローを示す図である。１セグメント放送受信出力処理では、１セグメント放送を受信し出力する場合に使用する１セグチューナー１０７、１セグ復調部１０８、１セグ多重分離部１０９、ストリームバッファ１１１、１セグビデオデコード部１１２、フレームバッファ１１３と表示出力部１１４を動作させる。
【００５３】
具体的には、図５に示すように、１セグチューナー１０７、１セグ復調部１０８、１セグ多重分離部１０９、１セグビデオデコード部１１２を起動して受信・デコードを実行し（Ｓ１２１）、１セグビデオデコード部１１２のデコードフレームを表示出力部１１４からＬＣＤ１１６へ出力する（Ｓ１２２）。
【００５４】
このとき、１２セグチューナー１０１は、停止している場合には起動し（Ｓ１２３）、１２セグメント放送の放送波を受信し電界強度を計測して１２セグメント放送の受信品質が所定品質以上に回復するのを検出する。
【００５５】
この場合、１２セグメント放送は出力しないため、電源クロック制御部１１８と電源クロック制御部１１９により１２セグ多重分離部１０３と１２セグビデオデコード部１０５の電源遮断、またはクロック停止をするように制御部１１５から指示が出力される。このようにして、１２セグビデオデコード部１０５を低電力モードへ遷移させる（Ｓ１２４）。なお、電源クロック制御部１１７により、１２セグ復調部１０２の電源遮断、またはクロック停止をしてもよい。
【００５６】
（受信出力不可通知処理）
つぎに、受信出力不可通知処理について、図６を用いて説明する。図６は、受信出力不可通知処理の処理フローを示す図である。図６に示すように、この受信出力不可通知処理では、表示出力部１１４からＬＣＤ１１６へデジタル放送の受信ができない旨を表示出力させる（Ｓ１３１）。
【００５７】
（１２セグ放送から１セグ放送への切換え処理）
１２セグ放送から１セグ放送への切換え処理は、本発明の特徴的な動作であり、例えば、１２セグメント放送を受信、出力時において、デジタル放送受信装置１００を移動中に使用等した結果、１２セグメント放送の受信品質が所定の品質を下回り、受信出力動作を十分に実行できない状態となって１セグメント放送の受信、出力に切換える場合の動作である。
【００５８】
具体的には、１２セグチューナー１０１と１２セグ復調部１０２からの電界強度とビットエラー率により制御部１１５が１２セグメント放送の受信品質が所定の品質を下回ったのを検出すると、まず１セグチューナー１０７からの電界強度から１セグメント放送の受信品質を確認する。そして、１セグメント放送の受信品質が所定の品質以上であり、受信出力している１２セグメント放送の番組と同一の番組を受信している場合は１セグメント放送の受信、出力に切換える。なお、１セグメント放送の受信品質が所定の品質を下回っている場合は受信出力できる放送がないため、表示出力部１１４からＬＣＤ１１６へデジタル放送の受信ができない旨を画面表示しユーザーへ通知する。
【００５９】
ここで、１２セグ放送から１セグ放送への切換え処理について、図面を用いてより詳細に説明する。図７は、１２セグ放送から１セグ放送への切換え処理の処理フローを示す図である。図７に示すように、１２セグ放送から１セグ放送への切換え処理が開始されると、ストリームバッファ１１１に保存していた１セグメント放送の映像ストリームデータの高速デコード処理を、１２セグビデオデコード部１０５で実行する（Ｓ１４１）。１２セグメント放送の映像は１セグメント放送の映像よりも高精細（例えば、解像度１９２０×１０８０、６０フィールド／秒に対して解像度３２０×２４０、１５フレーム／秒）であるため、１２セグビデオデコード部１０５は１セグビデオデコード部１１２よりもデコード性能が高く、高速デコードする際の速度は１２セグビデオデコード部１０５を用いた方が速い。
【００６０】
ビデオデコード部１０５による高速デコード処理を実行し、切換え後の表示可能なフレームを検出すると（Ｓ１４２）、表示出力部１１４からＬＣＤ１１６へ表示出力しているフレームをフレームバッファ１０６に格納している１２セグメント放送のフレームデータからフレームバッファ１１３に格納した切換え後の１セグメント放送の表示フレームデータに切換える（Ｓ１４３）。
【００６１】
その場合、フレームをデコード処理する度にデコードしたフレームの表示時刻情報（例えばＰＴＳ（Present Time Stamp）情報）から切換え後に表示可能なフレームデータを検出し切換え後の表示フレームを決定する。ここで表示可能なフレームとは、表示時刻情報が現在の時刻よりも過去の時刻ではなく、現在よりも先の時刻で切換えて表示出力する際に同期が取れるフレームを意味する。１セグビデオデコード部１１２は、通常再生のフレームレートでのデコード処理よりも高速にデコード処理が可能であり、通常、ビデオデコード部は早送り機能への対応等により高速デコード処理は可能である。
【００６２】
この１セグメント放送のフレームに表示切換えと並行して、切換え後の表示フレームを決定すると、１２セグメントビデオデコード部１０５のデコード速度を通常再生のフレームレートに変更し（Ｓ１４４）、Ｉフレーム検出部１１０で次のイントラフレームを検出すると、直前の画面間予測フレーム（Ｐフレーム）までのデコード処理を１２セグメントビデオデコード部１０５で実行し、続くイントラフレームのデコード処理からは１セグビデオデコード部１１２による通常再生フレームレートでのデコード処理に変更し１セグメント放送の受信出力処理を継続する（Ｓ１４５）。そして、１セグメント放送の受信出力処理では不必要な処理となるＩフレーム検出部１１０の処理を停止させる。（Ｓ１４６）。
【００６３】
図７の処理フローとする場合、１２セグビデオデコード部１０５は１２セグメント放送の映像ストリームデータに加えて１セグメント放送の映像ストリームデータのデコードにも対応する必要がある。１２セグメント放送の映像ストリームデータの動画圧縮伸長規格（ＭＰＥＧ−２）と１セグメント放送の映像ストリームデータの動画圧縮伸長規格（Ｈ  ．２６４）とで規格が異なるためである。このような１２セグビデオデコード部１０５の実現構成の１つとしては、それぞれの規格で処理が異なる部分の処理に対してプログラマブルに対応可能な専用回路またはＤＳＰと、共通の処理部分を処理する専用回路とで構成された回路が考えられる。
【００６４】
なお、１２セグメント放送から１セグメント放送への切換え処理として、図７とは別の方法を用いてもよい。例えば、予めストリームバッファ１１１に保存していた１セグメント放送の映像ストリームデータのイントラフレームからのフレームデコードは、１セグビデオデコード部１１２により最大処理性能で通常のフレームレート（１セグメント放送の場合１５フレーム／秒）よりも高速にデコードしてもよい。
【００６５】
（１セグ放送から１２セグ放送への切換え処理）
１セグ放送から１２セグ放送への切換え処理は、１セグメント放送を受信、出力時において、本発明のデジタル放送受信装置１００を移動中に使用する等で１２セグメント放送の受信品質が所定の品質以上に回復し、１セグメント放送の受信、出力に切換える場合の動作である。
【００６６】
具体的には、１２セグチューナー１０１からの電界強度により制御部１１５が１２セグメント放送の受信品質が安定して所定の品質以上になったのを検出すると、１２セグメント放送の受信、出力に切換える。
【００６７】
ここで、１セグ放送から１２セグ放送への切換え処理について、図面を用いてより詳細に説明する。図８は、１セグ放送から１２セグ放送への切換え処理の処理フローを示す図である。図８に示すように、１セグ放送から１２セグ放送への切換え処理が開始されると、１２セグ復調部１０２、１２セグ多重分離部１０３、１２セグビデオデコード部１０５の低電力モードを解除して起動し、１２セグメント放送波の復調処理、多重分離処理とビデオデコード処理を開始する（Ｓ１５１）。
【００６８】
そして、１２セグビデオデコード部１０５からフレームバッファ１０６に出力される表示切換え後のフレームデータが出力されるまで待機し（Ｓ１５２）、表示切換え後のフレームデータが出力されると、表示出力部１１４からＬＣＤ１１６への表示出力を１セグビデオデコード部１１２からのフレームデータからフレームバッファ１０６に格納した１２セグメント放送の表示切換え後のフレームデータに切換える（Ｓ１５３）。
【００６９】
この切換え処理においては、１セグメント放送の受信出力は安定動作しているため、１２セグメント放送への切換えを特に急ぐ必要はない。したがって、１２セグビデオデコード部１０５によるデコード処理は高速デコードにより表示フレームへデコード処理を追いつく必要はなく、イントラフレームのデコード処理から開始してもよい。
【００７０】
なお、制御部１１５の処理は、ＣＰＵでのプロセッサ処理で実現することが考えられるが、本発明の範囲はこれに限定されるものではなく、別途、専用回路でのシーケンス処理で実現してもよい。
【００７１】
このような本発明の第１の実施の形態のデジタル放送受信装置１００によれば、１２セグ放送から１セグ放送へ選択が切り換えられたときに、１２セグ放送が選択されているときに保持しておいた１セグ放送の映像ストリームデータを、１２セグビデオデコード部１０５を用いて高速にデコード処理することにより、１２セグ放送から１セグ放送への切替えを素早く円滑に行うことができる。
【００７２】
すなわち、本実施の形態のデジタル放送受信装置１００では、１２セグ放送の受信状態に応じて１２セグ放送と１セグ放送との間で出力する放送を切換え、切換え時においても切換え後の表示画像の出力が遅くならないようにすることができ、併せて低消費電力を実現することができる。
【００７３】
具体的には、本実施の形態のデジタル放送受信装置１００では、１２セグ放送の受信状態に応じて、１２セグ放送と１セグ放送の表示出力を切換えることが可能であり、１２セグ放送から１セグ放送への切換え時において、あらかじめストリームバッファに保存した１セグ放送のイントラフレームを含む映像ストリームデータを用いて、切換え後に必要なフレームデータを１２セグビデオデコード部１０５で高速デコードして用意することができる。そのため、１セグ放送への切換え後の映像出力を即座に実行できる。さらに、１２セグビデオデコード部１０５と１セグビデオデコード部１１２の両方を常時実行させずに、両者を使い分けて低電力モードとするため、低消費電力での実行が可能である。
【００７４】
このようなデジタル放送受信装置１００によれば、１２セグ放送の受信状態に応じて、１２セグ放送と１セグ放送の表示出力を切換えることが可能であり、１２セグ放送から１セグ放送への切換え時において、ユーザーに不快感を与えないように、切換え後の映像出力を即座に出力することを、低消費電力で実行することができる。
【００７５】
このデジタル放送受信装置１００では、使用されていないビデオデコード部１０５、１１２が低電力モードに設定されるので、装置の省電力化が可能になる。
【００７６】
また、このデジタル放送受信装置１００では、１２セグ放送から１セグ放送へ選択が切り換えられたときに、ストリームバッファ１１１に保持しておいたイントラフレームのデータを用いて、１セグ放送の映像ストリームデータのデコード処理をすぐに開始することができる。したがって、１２セグ放送から１セグ放送への切替えを素早く円滑に行うことができる。
【００７７】
以上のようなデジタル放送受信装置１００によれば、受信状況に応じて１２セグメント放送と１セグメント放送との間で受信出力を切換える場合、特に、１２セグメント放送の受信状況が悪化し１セグメント放送へ受信出力を切換える際にも、あらかじめバッファ１１１に保存した１セグメント放送のイントラフレームを含む映像ストリームデータを用いて、切換え後に必要なフレームデータを１２セグビデオデコード部１０５で高速デコードして用意するため、切換え後の映像出力を即座に実行できる。その上、１２セグメント放送用のビデオデコード部１０５と１セグメント放送用のビデオデコード部１１２の両方を常時実行させずに使い分けて低電力モードとするため低消費電力での実行を可能とする。さらには、１セグメント放送用のビデオデコード部１１２よりも高性能な１２セグメント放送用のビデオデコード部１０５を１セグメント放送の映像ストリームのデコード処理にも対応させ、１セグメント放送の映像ストリームを１セグメント放送用のビデオデコード部１１２よりもさらに高速でデコード処理することで表示切換えにかかる時間をさらに短縮することが可能である。
【００７８】
（第２の実施の形態）
次に、本発明の第２の実施の形態のデジタル放送受信装置を、図９〜図１３を参照して説明する。ここでは、本実施の形態のデジタル放送受信装置の構成が、第１の実施の形態と相違する点を中心に説明する。つまり、ここで特に言及しない限り、本実施の形態のデジタル放送受信装置の構成は、第１の実施の形態と同様である。
【００７９】
図９は、本実施の形態のデジタル放送受信装置の構成を示すブロック図である。図９に示すように、デジタル放送受信装置２００は、１２セグ放送と１セグ放送に共通のビデオデコード部２０１とフレームバッファ２０２と電源クロック制御部２０３を備えている。
【００８０】
このビデオデコード部２０１は、ストリームバッファ１０４に保持された１２セグメント放送の映像ストリームデータとストリームバッファ１１１に保持された１セグメント放送の映像ストリームデータを入力とし、制御部１１５の指示により指示された映像ストリームデータをデコードし、デコードしたビデオデータをフレームバッファ２０２へ出力する１２セグメント放送と１セグメント放送の映像ストリームデータの両方に対応したデコード機能を備えている。
【００８１】
ビデオデコード部２０１は、１２セグメント放送の映像ストリームデータに加えて１セグメント放送の映像ストリームデータのデコードにも対応する必要がある。１２セグメント放送の映像ストリームデータの動画圧縮伸長規格（ＭＰＥＧ−２）と１セグメント放送の映像ストリームデータの動画圧縮伸長規格（Ｈ．２６４）とで規格が異なるためである。このようなビデオデコード部２０１の実現構成の１つとしては、それぞれの規格で処理が異なる部分の処理に対してプログラマブルに対応可能な専用回路またはＤＳＰと、共通の処理部分を処理する専用回路とで構成された回路が考えられる。
【００８２】
フレームバッファ２０２は、ビデオデコード部２０１でデコードされた１２セグメント放送と１セグメント放送のビデオデータを保持する。また、電源クロック制御部２０３は、制御部１１５の指示によりビデオデコード部２０１の動作周波数を制御し、動作周波数に連動して電源電圧を制御する。
【００８３】
そして、表示出力部１１４は、フレームバッファ２０２に保持された１２セグメント放送のビデオデータ、または１セグメント放送のビデオデータから制御部１１５から指示された放送側のビデオデータを選択し、外部表示装置へ出力するのに必要な拡大・縮小処理、回転処理、高画質化処理等の画像処理を実行しＬＣＤ１１６へ出力する。
【００８４】
以上のように構成された第２の実施の形態のデジタル放送受信装置２００について、図面を用いてその動作を説明する。ここでも、本実施の形態のデジタル放送受信装置２００の動作が、第１の実施の形態と相違する点を中心に説明する。つまり、ここで特に言及しない限り、本実施の形態のデジタル放送受信装置２００の動作は、第１の実施の形態と同様である。
【００８５】
第２の実施の形態のデジタル放送受信装置２００では、第１の実施の形態に対して、１２セグメント放送受信出力処理、１セグメント放送受信出力処理、１２セグメント放送から１セグメント放送への切換え処理、１セグメント放送から１２セグメント放送への切換え処理の処理フローの一部処理で違いが生じる。したがって、以下、本実施の形態におけるそれぞれの処理について説明する。
【００８６】
（１２セグメント放送受信出力処理）
まず、１２セグメント放送受信出力処理について、図１０を用いて説明する。図１０は、１２セグメント放送受信出力処理の処理フローを示す図である。この１２セグメント放送受信出力処理では、共通のビデオデコード部２０１のクロックと電源電圧を、１２セグメント放送の通常再生処理に必要な範囲で設定する（Ｓ２１１）。そして、１２セグチューナー１０１、１２セグ復調部１０２、１２セグ多重分離部１０３、ビデオデコード部２０１を起動して受信・デコードを実行し（Ｓ２１２）、ビデオデコード部２０１のデコードフレームを表示出力部１１４よりＬＣＤ１１６へ出力する（Ｓ２１３）。
【００８７】
１セグチューナー１０７、１セグ復調部１０８、１セグ多重分離部１０９、Ｉフレーム検出部１１０、ストリームバッファ１１１は、１２セグメント放送から１セグメント放送への切換え時に備えて、１２セグメント放送受信、出力中においても動作させる。そして、１セグチューナー１０７、１セグ復調部１０８と１セグ多重分離部１０９により、１２セグメント放送の番組と同一番組のストリームデータを受信しストリームバッファ１１１へ保存する（Ｓ２１４）。
【００８８】
（１セグメント放送受信出力処理）
つぎに、１セグメント放送受信出力処理について、図１１を用いて説明する。図１１は、１セグメント放送受信出力処理の処理フローを示す図である。この１セグメント放送受信出力処理では、共通のビデオデコード部２０１のクロックと電源電圧を１セグメント放送の通常再生処理に必要な範囲で設定する（Ｓ２２１）。そして、１セグチューナー１０７、１セグ復調部１０８、１セグ多重分離部１０９、ビデオデコード部２０１を起動して受信・デコードを実行し（Ｓ２２２）、ビデオデコード部２０１のデコードフレームを表示出力部１１４からＬＣＤ１１６へ出力する（Ｓ２２３）。
【００８９】
このとき、１２セグチューナー１０１は、停止している場合には起動し（Ｓ２２４）、１２セグメント放送の放送波を受信し電界強度を計測して１２セグメント放送の受信品質が所定品質以上に回復するのを検出する。
【００９０】
この場合、１２セグメント放送は出力しないため、電源クロック制御部１１７と電源クロック制御部１１８により１２セグ復調部１０２、１２セグ多重分離部１０３、Ｉフレーム検出部１１０の電源遮断、またはクロック停止をするように制御部１１５から指示が出力される。このようにして、１２セグ復調部１０２、１２セグ多重分離部１０３、Ｉフレーム検出部１１０を低電力モードへ遷移させる（Ｓ２２５）。
【００９１】
（１２セグ放送から１セグ放送への切換え処理）
図１２は、１２セグ放送から１セグ放送への切換え処理の処理フローを示す図である。図１２に示すように、１２セグ放送から１セグ放送への切換え処理が開始されると、共通のビデオデコード部２０１のクロックと電源電圧を最大とし、１セグメント放送の映像ストリームを高速デコード処理する（Ｓ２３１）。
【００９２】
ビデオデコード部２０１による高速デコード処理を実行し、切換え後の表示可能なフレームを検出すると（Ｓ２３２）、表示出力部１１４からＬＣＤ１１６へ表示出力しているフレームをフレームバッファ２０２に格納している１２セグメント放送のフレームデータからフレームバッファ２０２に格納した切換え後の１セグメント放送の表示フレームデータに切換える（Ｓ２３３）。
【００９３】
つぎに、ビデオデコード部２０１の１セグメント放送デコード処理を通常フレームレートでの処理に変更し（Ｓ２３４）、ビデオデコード部２０１のクロックと電源電圧を１セグメント放送の通常再生処理に必要な範囲で低減させる（Ｓ２３５）。そして、１セグメント放送の受信出力処理では不必要な処理となるＩフレーム検出部１１０の処理を停止させる。（Ｓ２３６）。
【００９４】
（１セグ放送から１２セグ放送への切換え処理）
図１３は、１セグ放送から１２セグ放送への切換え処理の処理フローを示す図である。図１３に示すように、１セグ放送から１２セグ放送への切換え処理が開始されると、１２セグ復調部１０２、１２セグ多重分離部１０３の低電力モードを解除して起動する（Ｓ２４１）。
【００９５】
その後、ビデオデコード部２０１のクロックと電源電圧を１２セグメント放送の通常再生処理に必要な範囲で設定し、受信・デコードを実行する（Ｓ２４２）。そして、ビデオデコード部２０１からデコードフレームが出力されるまで待機し（Ｓ２４３）、表示切換え後のフレームデータが出力されると、表示出力部１１４からＬＣＤ１１６への表示出力を１セグ放送から１２セグ放送のフレームデータに切換える（Ｓ２４４）。
【００９６】
第１の実施の形態では、１２セグメント放送の映像ストリームデータをデコードするビデオデコード部１０５と１セグメント放送の映像ストリームデータをデコードするビデオデコード部１１２がそれぞれ別に存在している構成に対して、本実施の形態のデジタル放送受信装置２００では、１２セグメント放送と１セグメント放送の映像ストリームデータの両方に対応可能な共通のビデオデコード部２０１で構成されている。
【００９７】
したがって、１２セグメント放送の受信出力処理、１セグメント放送の受信出力処理と両放送間の切換え処理時において、第１の実施の形態では２つのビデオデコード部１０５、１１２を処理シーンに応じて、電源遮断またはクロック停止で低電力化を実現するのに対して、第２の実施の形態のデジタル放送受信装置２００では、共通のビデオデコード部２０１を処理シーンに応じて必要な処理性能となるようにクロックの動作周波数と電源電圧を低減することで低電力化を実現している。
【００９８】
なお、１２セグメント放送の映像ストリームデータと１セグメント放送の映像ストリームデータでは、動画圧縮伸長規格が異なってはいるが、画面解像度とフレームレートの違いから１２セグメント放送の映像ストリームデータのデコード処理の方が１セグメント放送の映像ストリームデータのデコード処理よりも高い処理性能が必要となる。そのため、１セグメント放送の映像ストリームデータを通常再生処理する場合は、１２セグメント放送の映像ストリームを通常再生処理する場合よりもビデオデコード部２０１のクロックと電源電圧は低減することができる。
【００９９】
このような本発明の第２の実施の形態のデジタル放送受信装置２００によっても、第１の実施の形態と同様の作用効果が奏される。
【０１００】
この場合、１２セグ放送と１セグ放送に共通のビデオデコード部２０１により、部品の共通化やスペースの共有化を図ることが可能になり、装置の低コスト化や小型化が可能になる。
【０１０１】
以上、本発明の実施の形態を例示により説明したが、本発明の範囲はこれらに限定されるものではなく、請求項に記載された範囲内において目的に応じて変更・変形することが可能である。
【０１０２】
本発明のデジタル放送受信装置は、同一番組を同時に送信する第１のデジタル放送と第２のデジタル放送の複数のストリームデータを受信する機能を有するデジタル放送受信装置であって、前記第１のデジタル放送は、前記第２のデジタル放送より伝送帯域が大きく設定されており、かつ、前記第２のデジタル放送は、前記第１のデジタル放送より送信電波強度が強く設定されており、前記デジタル放送受信装置は、前記第１のデジタル放送のストリームデータから分離された映像ストリームデータをデコード処理する第１のビデオデコード手段と、前記第２のデジタル放送のストリームデータから分離された映像ストリームデータをデコード処理する第２のビデオデコード手段と、前記第１のデジタル放送の受信品質に応じて、前記第１のデジタル放送と前記第２のデジタル放送のいずれか一方を表示出力として選択するデジタル放送の切替え制御を行う制御手段と、前記第１のデジタル放送が選択されているときに、前記第２のデジタル放送の映像ストリームデータを保持するストリーム保持手段と、を備え、前記第１のビデオデコード手段は、前記第１のデジタル放送から前記第２のデジタル放送へ表示出力の選択が切り換えられたときに、前記ストリーム保持手段に保持された前記第２のデジタル放送の映像ストリームデータを、前記第２のビデオデコード手段より高速にデコード処理する構成を有している。
【０１０３】
この構成により、第１のデジタル放送（例えば１２セグ放送）から第２のデジタル放送（例えば１セグ放送）へ選択が切り換えられたときに、第１のデジタル放送が選択されているときに保持しておいた第２のデジタル放送の映像ストリームデータを、第１のビデオデコード手段（例えば１２セグビデオデコード部１０５）を用いて高速にデコード処理することにより、第１のデジタル放送から第２のデジタル放送への切替えを素早く円滑に行うことができる。
【０１０４】
また、本発明のデジタル放送受信装置では、前記第１のデジタル放送が選択されているときに、前記第２のビデオデコード手段を低電力モードに設定し、前記第２のデジタル放送が選択されているときに、前記第１のビデオデコード手段を低電力モードに設定する低電力モード制御手段を備えた構成を有している。
【０１０５】
この構成により、使用されていないビデオデコード手段（例えばビデオデコード部１０５、１１２）が低電力モードに設定されるので、装置の省電力化が可能になる。
【０１０６】
また、本発明のデジタル放送受信装置では、前記ストリーム保持手段は、前記第２のデジタル放送の映像ストリームデータに含まれる少なくとも１つのイントラフレームのデータを保持する構成を有している。
【０１０７】
この構成により、第１のデジタル放送から第２のデジタル放送へ選択が切り換えられたときに、ストリーム保持手段（例えばストリームバッファ１１１）に保持しておいたイントラフレームのデータを用いて、第２のデジタル放送の映像ストリームデータのデコード処理をすぐに開始することができる。したがって、第１のデジタル放送から第２のデジタル放送への切替えを素早く円滑に行うことができる。
【０１０８】
また、本発明のデジタル放送受信装置では、前記第１のビデオデコード手段と前記第２のビデオデコード手段は、前記第１のデジタル放送と前記第２のデジタル放送の映像ストリームデータに共通のデコード手段として構成されている。
【０１０９】
この構成により、部品の共通化やスペースの共有化を図ることが可能になり、製品の低コスト化や小型化が可能になる。
【０１１０】
本発明のデジタル放送受信方法は、同一番組を同時に送信する第１のデジタル放送と第２のデジタル放送の複数のストリームデータを受信する機能を有するデジタル放送受信装置において用いられるデジタル放送受信方法であって、前記第１のデジタル放送は、前記第２のデジタル放送より伝送帯域が大きく設定されており、かつ、前記第２のデジタル放送は、前記第１のデジタル放送より送信電波強度が強く設定されており、前記デジタル放送受信装置は、前記第１のデジタル放送のストリームデータから分離された映像ストリームデータをデコード処理する第１のビデオデコード手段と、前記第２のデジタル放送のストリームデータから分離された映像ストリームデータをデコード処理する第２のビデオデコード手段を備えており、前記デジタル放送受信方法は、前記第１のデジタル放送の受信品質に応じて、前記第１のデジタル放送と前記第２のデジタル放送のいずれか一方を表示出力として選択するデジタル放送の切替え制御を行い、前記第１のデジタル放送が選択されているときに、前記第２のデジタル放送の映像ストリームデータを保持し、前記第１のデジタル放送から前記第２のデジタル放送へ表示出力の選択が切り換えられたときに、前記第１のビデオデコード手段を用いて、前記ストリーム保持手段に保持された前記第２のデジタル放送の映像ストリームデータを、前記第２のビデオデコード手段より高速にデコード処理する。
【０１１１】
この方法によれば、第１のデジタル放送から第２のデジタル放送へ選択が切り換えられたときに、第１のデジタル放送が選択されているときに保持しておいた第２のデジタル放送の映像ストリームデータを、第１のビデオデコード手段を用いて高速にデコード処理することにより、第１のデジタル放送から第２のデジタル放送への切替えを素早く円滑に行うことができる。
【産業上の利用可能性】
【０１１２】
以上のように、本発明にかかるデジタル放送受信装置は、第１のデジタル放送から第２のデジタル放送への切替えを素早く円滑に行うことができるという効果を有し、例えば、携帯電話機、携帯ＴＶ、ポータブルナビゲーション機器等の携帯端末や、車載向けナビゲーション機器等に用いられ、有用である。
【図面の簡単な説明】
【０１１３】
【図１】第１の実施の形態におけるデジタル放送受信装置の構成を示すブロック図
【図２】１セグ放送の映像ストリームデータのフレームシーケンスの説明図
【図３】第１の実施の形態におけるデジタル放送受信処理のフロー図
【図４】第１の実施の形態における１２セグ放送受信出力処理のフロー図
【図５】第１の実施の形態における１セグ放送受信出力処理のフロー図
【図６】第１の実施の形態における受信出力不可通知処理のフロー図
【図７】第１の実施の形態における１２セグ放送から１セグ放送への放送切換え処理のフロー図
【図８】第１の実施の形態における１セグ放送から１２セグ放送への放送切換え処理のフロー図
【図９】第２の実施の形態におけるデジタル放送受信装置の構成を示すブロック図
【図１０】第２の実施の形態における１２セグ放送受信出力処理のフロー図
【図１１】第２の実施の形態における１セグ放送受信出力処理のフロー図
【図１２】第２の実施の形態における１２セグ放送から１セグ放送への放送切換え処理のフロー図
【図１３】第２の実施の形態における１セグ放送から１２セグ放送への放送切換え処理のフロー図
【符号の説明】
【０１１４】
１００  デジタル放送受信装置
１０１  １２セグチューナー
１０２  １２セグ復調部
１０３  １２セグ多重分離部
１０４  ストリームバッファ
１０５  １２セグビデオデコード部
１０６  フレームバッファ
１０７  １セグチューナー
１０８  １セグ復調部
１０９  １セグ多重分離部
１１０  Ｉフレーム検出部
１１１  ストリームバッファ
１１２  １セグビデオデコード部
１１３  フレームバッファ
１１４  表示出力部
１１５  制御部
１１６  液晶ディスプレイ（ＬＣＤ）
１１７〜１２２  電源クロック制御部
２００  デジタル放送受信装置
２０１  ビデオデコード部
２０２  フレームバッファ
２０３  電源クロック制御部
【図１】
2010034994.tif 000003
【図２】
2010034994.tif 000004
【図３】
2010034994.tif 000005
【図４】
2010034994.tif 000006
【図５】
2010034994.tif 000007
【図６】
2010034994.tif 000008
【図７】
2010034994.tif 000009
【図８】
2010034994.tif 000010
【図９】
2010034994.tif 000011
【図１０】
2010034994.tif 000012
【図１１】
2010034994.tif 000013
【図１２】
2010034994.tif 000014
【図１３】
2010034994.tif 000015